(57)【要約】【課題】ギフト等を安定した状態でぬいぐるみに持たせ、なおかつギフトとしての価値を高める。【解決手段】ぬいぐるみの両手に２本に分割したリボンのそれぞれ１本ずつを取り付け、それを結ぶ事により、持つ物を取り付け、又はその結んだ時のぬいぐるみ本体の押さえつける圧力及び摩擦力により、物を持たせ、尚かつ、リボンの装飾性によりギフトとしての価値を高める。【選択図】  図１
2005224565.tif 000002
【特許請求の範囲】
【請求項１】
分割した２本のリボンを両手先に取り付け、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事の出来るぬいぐるみ。
【請求項２】
分割した４本のリボンを両手両足先に取り付け、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事の出来るぬいぐるみ。
【請求項３】
中央部分がぬいぐるみになっているリボンであり、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事の出来るリボン。
【請求項４】
片手に分割した２本のリボン又はリボンを切らずに中央で折り返した物を取り付け、それを結ぶことにより、容易に脱落することなく手に物を持つ事が出来、なおかつ持つ物を容易に着脱可能とし、更にリボンの装飾効果により、ギフトとしての価値を高める事の出来るぬいぐるみ。
【請求項５】
分割した２本のリボンを両手先に取り付け、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事が出来、さらに本体もしくはリボンに滑り止めを施し、より安定して持たせる事を特徴としたぬいぐるみ。
【請求項６】
分割した２本のリボンを両手先に取り付け、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事が出来、なおかつ、そのリボンを取り外し可能とする事を特徴とするぬいぐるみ。
【請求項７】
分割した２本のリボンを両手先に取り付け、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事が出来、又リボンの長さを生かし、ぬいぐるみの手の長さ以上の物を持つことを可能にした事を特徴とするぬいぐるみ。
【請求項８】
分割した２本のリボンを両手先に取り付け、それを結ぶことによりぬいぐるみ自身に弾力性及び摩擦力があるという特性を利用し、その押さえつける圧力により容易に脱落することなく手に物を持つ事が出来、なおかつ持つ物を容易に着脱可能とし、更にリボンの装飾効果により、ギフトとしての価値を高める事が出来、リボンを結ぶ事により複数の物を一度に持てる事を特徴とするぬいぐるみ。
【請求項９】
分割した２本のリボンを両手先に取り付け、それを結ぶことによりぬいぐるみ自身に弾力性及び摩擦力があるという特性を利用し、その押さえつける圧力により、容易に脱落することなく手に物を持つ事が出来、なおかつ持つ物を容易に着脱可能とし、更にリボンの装飾効果により、ギフトとしての価値を高める事が出来、そのリボン部分にギフトを提供する側のブランド名などを入れ、広告性を持たせる方法をとることが出来る事を特徴としたぬいぐるみ。
【発明の詳細な説明】
【技術分野】
【０００１】  本発明は、「もし、ぬいぐるみの手にギフトを持たせて届けることが出来たなら、どんなにか相手に喜んで貰える事だろう。」という発想から生まれたものである。
本発明は、ぬいぐるみの両手先に２本に分割したリボンをそれぞれ１本ずつ取り付けることにより、あらゆる大きさ・形・数量の物も手に持つことが出来るぬいぐるみに関するものである。
【背景技術】
【０００２】  従来クリップ様の金属のバネを腕に沿わせて埋め込み、物を挟みこむ物や、空気の圧力で湾曲させた腕によって物などに抱きつかせるビニール製の物などはあったが、いずれにせよクリップ様の金属のバネを用いた時、その力の作用点は１点しかなく、物を安定して持たせる事は出来なかった。又同様に空気の圧力で湾曲させた腕によって抱きつかせる場合においても、その圧力は弱く、到底、安定して物を持たせる事は出来なかった。いずれにせよ、どれも物に抱きつかせる意味合いが大きく、持っている物を引っ張れば容易に外れてしまう様な物でしかなかった。又長めに作られたぬいぐるみの手の内側に物を納め、つるされる形式のものはあったが、それ自身が物を持ち一定の場所に固定される事なく、ギフトを装飾出来るものはなかった。
【特許文献１】参照
【０００３】  又、手にアクセサリーなどを縫いつけられ装飾されたぬいぐるみもあるが、糸などで縫いつけられ、ぬいぐるみと一体化されていたため、それらを取り外して、単独で使用することは不可能であった。
【特許文献１】  登録実用新案第３０２００３５号公報
【発明の開示】
【発明が解決しようとする課題】
【０００４】  しかし本発明は、ぬいぐるみに取り付けられた物を取り外し可能とすることにより、ぬいぐるみ本体を楽しむとともに、手に持っていた装飾品等も、それ単独で使用することを可能とする為に発明された物である。【０００５】  本発明はリボンで物を持たせるという事を軸とするが、どの様な物につけられたリボンでも良いという訳ではなく、
【図９】
の様に単にリボンに付けただけでは装飾的効果は得られず、かえっておかしな物になってしまう。
又、抱きかかえる形で持たせる場合、リボンが取り付けられた物に弾力性がないと持たせた物が容易に落ちてしまう事が実験の結果わかった。
【図１０】
，
【図１１】
又、たとえリボンを取り付ける側を湾曲させたとしても、湾曲させた大きさ以下の物を持つことは不可能となる。
【図１２】
【課題を解決するための手段】
【０００６】  今その構成を説明すると
（イ）ぬいぐるみの両手に、分割された２本のリボンのうちそれぞれ１本ずつを取り付ける。
（ロ）リボンにリングなどを通し結ぶことにより、手に持たせる。
【図１】
，
【図２】
（ハ）ぬいぐるみの弾力、及び、摩擦力を利用し、リボンで結ぶ事によりぬいぐるみの胴体や腕・顔・足などが押さえつける圧力によってあらゆる物をその両手に持たせる。
【図３】
，
【図４】
，
【図５】
この時、力の作用点は腕全体のみならず、本体に接している全ての場所が力の作用点となり、安定して物を持たせる事が可能となる。
以上のように使用する。
【０００７】  又、太さの違うリボンを付け何種類か実験したが、効果はどれも変わらずにあった。
又、クリップ様の金属が腕に埋め込まれたりしているわけではないので、ぬいぐるみの腕を目一杯広げることが出来、かなりの大きさの物まで持たせる事が出来ることがわかった。
【図４】
【０００８】  実際に図面同様のぬいぐるみを製作し、持たせたところ、単にリボンで結ぶだけでなく、結んだ時のその押さえつける圧力により、ぬいぐるみ本体の持つ弾力性という特徴が最大限生かされ、しかもその摩擦力によって、安定して物を持たせる事が出来、なおかつリボンによってギフトとしての装飾効果も得られ相乗効果が生まれることがわかった。又、品物がリボンによって固定されているので、解いて結ぶという作業が容易に出来る利点があり、持つ物を色々とり変えることが出来る。
【０００９】  又、本体もしくはリボンに滑り止めを施すことにより、より安定して物を持たせることが可能となる。
【００１０】  リボンの取り付け方法は、両方ともやわらかい素材ということもあり、その実施の形態によって多種の方法を選択する事が出来る。
（イ）縫製により取り付ける。
（ロ）布用接着剤などで取り付ける。
（ハ）ホックやマジックテープなどで取り付け又、取り外し可能とする。
（ニ）ヒモや専用の金具などを取り付けておき差し込む形にする。
（ホ）ぬいぐるみの腕自体に穴をあけ、そこを通して取り付ける。
などである。
つまり、販促品として大量に安価に製造したい場合は縫製や接着、個人のユーザー向けに販売する場合などは、多少加工費がかかったとしても、取り外し可能にするなど、選択する事が出来、広い範囲でのニーズに答えることが可能となる。尚、縫製及び接着によりリボンを取り付けた場合において、後にリボンが不用となった場合は、リボンはハサミなどで簡単に切り取る事が出来るので、本来の風合いを損なう事無くぬいぐるみ単体として使う事も容易に出来る。
【発明の効果】
【００１１】  図面同様のぬいぐるみを製作し実際に持たせたところ、あたかもぬいぐるみがリボンのついたギフトを手に持っているかの様に見え、想像以上に可愛らしさがまし、ギフトとしての付加価値が高まり、産業的・商業的利用価値が大きいことが確認できた。
又、あらゆる物を持つことにより、ぬいぐるみの可愛らしさも増し、ぬいぐるみとしての楽しみも更に深まる。ぬいぐるみに装飾的に取り付けられるリボンが物を持つという機能をもつことにより、単に装飾にとどまらずリボンとしてもぬいぐるみとしてもその利用価値が上がるのである。
【発明を実施するための最良の形態】
【００１２】  次に本発明の実施の形態を述べると、
【実施例１】指輪をあたかもぬいぐるみが手に持つかのようにリボンに結び付ける。
【図１】
【実施例２】又、結び方を変えることにより持たせる方向を変えることが出来る。
【図２】
【実施例３】リボンをしばった時のぬいぐるみ自身が押さえつける圧力、及び、摩擦力により細いものを持たせる。
【図３】
【実施例４】リボンの長さの範囲においてはぬいぐるみの手の長さ以上の物も持たせる事が出来る。
【図４】
【実施例５】花束をぬいぐるみの両手に抱えさせぬいぐるみ自身が花束を持っているかの様にリボンで固定する
【図５】
【実施例６】バッグのもち手に縛り付ける
【図６】
【実施例７】鉛筆等、棒状のものを数本まとめて抱きかかえるかのように固定する。
【実施例８】ぬいぐるみ同士を結び合わせ数体もしくは数十体のぬいぐるみで取り囲む様に持たせる。もしくは、レイのように首にかける。
【実施例９】両手両足にそれぞれリボンを取り付け、より大きなものを抱えることが出来る様にする。
【実施例１０】片手に２本のリボンを、又はリボンを切らずに中央で折り返したものを取り付け、それにしばりつける事により片手に物を持たせる様にする。
【産業上の利用の可能性】
【００１３】  あらゆる分野の物を持たせる事が出来、多方面での利用が可能な為、ジュエリーショップでのギフトとしてのジュエリーの販促品として、あるいはフラワーショップでの販促品として、あるいは企業の新製品のピーアール用に利用、ショップ内での商品のディスプレイ用に利用、などにと巾広く利用の可能性がある。又、リボンに企業のブランドなどを入れる事により広告性をも持たせることが出来る。
【図面の簡単な説明】
【００１４】
【図１】リングをリボンに通し手に持たせたところの図である。
【実施例１】
【図２】
リボンを通す向きを変え、持たせる向きを変えた図である。
【実施例２】
【図３】
細い物を持たせたところの図である。
【実施例３】
【図４】
大きい物を持たせたところの図である。
【実施例４】
【図５】
花束を持たせたところの図である。
【実施例５】
【図６】
バッグを持たせたところの図である。
【実施例６】
【図７】
物を持たせずにリボンだけを結んだ状態の図である。
【図８】
リボンをほどいたところの図である。
【図９】
参考例として弾力性のないぬいぐるみ以外の物にリボンで取り付けた場合の図である。
【図１０】
参考例として弾力性の無い物に細い物を持たせた時の図である。
【図１１】
参考例として弾力性の無い物に大きな物を持たせた時の図である。
【図１２】
参考例として弾力性の無い、湾曲した物に物を持たせようとした時の図である。
【図１】
2005224565.tif 000003
【図２】
2005224565.tif 000004
【図３】
2005224565.tif 000005
【図４】
2005224565.tif 000006
【図５】
2005224565.tif 000007
【図６】
2005224565.tif 000008
【図７】
2005224565.tif 000009
【図８】
2005224565.tif 000010
【図９】
2005224565.tif 000011
【図１０】
2005224565.tif 000012
【図１１】
2005224565.tif 000013
【図１２】
2005224565.tif 000014